(57)【要約】【課題】第１液と第２液とを効率よく混合することができる塗布器具を提供する。【解決手段】塗布器具２は、第１液供給管２１の先端に設けられ、第１液を吐出させる第１ノズル２３と、第２液供給管２２の先端に設けられ、第２液を吐出させる第２ノズル２４と、第１ノズル２３および第２ノズル２４の位置を規定し、第１ノズルおよび第２ノズルの外周から噴出する圧縮ガスの噴射口を規定すると共に、圧縮ガスを通すガス流路３１，３２を含むノズルヘッド２０と、を備える。第１ノズル２３および第２ノズル２４は、第１吐出口２３ａおよび第２吐出口２４ａに向かうにつれて互いに近づくように配置されている。【選択図】図１
2018000559.tif 000002
【特許請求の範囲】
【請求項１】
圧縮ガスを用いて第１液と第２液とを霧化および混合するための塗布器具であって、
前記第１液が供給される第１液供給管と、
前記第２液が供給される第２液供給管と、
前記第１液供給管の先端に設けられ、前記第１液を第１吐出口から吐出させる第１ノズルと、
前記第２液供給管の先端に設けられ、前記第２液を第２吐出口から吐出させる第２ノズルと、
前記第１ノズルおよび前記第２ノズルの位置を規定し、第１ノズルおよび第２ノズルの外周から噴出する前記圧縮ガスの噴射口を規定すると共に、前記第１ノズルおよび前記第２ノズルの周囲に形成されて前記圧縮ガスを通すガス流路を含むノズルヘッドと、を備え、
前記第１ノズルおよび前記第２ノズルは、前記第１吐出口および前記第２吐出口に向かうにつれて互いに近づくように配置されている、塗布器具。
【請求項２】
前記第１ノズルの第１ノズル軸線と前記第２ノズルの第２ノズル軸線とは、前記ノズルヘッドの前方で交差して鋭角をなす、請求項１に記載の塗布器具。
【発明の詳細な説明】
【技術分野】
【０００１】
本発明は、特に、２液混合型の塗布器具に関する。
【背景技術】
【０００２】
従来、２液混合型の噴霧ノズルが知られている。たとえば特許文献１に記載されるように、フィブリノーゲン含有溶液等の第１薬液を吐出する第１薬液供給管と、トロンビン含有溶液等の第２薬液を吐出する第２薬液供給管とを備えた噴霧ノズルが知られている。第１薬液供給管の外側には、間隔をあけて、第１外側ガス供給管が形成されている。第２薬液供給管の外側には、間隔をあけて、第２外側ガス供給管が形成されている。第１外側ガス供給管は、第１薬液供給管に対して同軸状に形成されており、第２外側ガス供給管は、第２薬液供給管に対して同軸状に形成されている。
【０００３】
上記の噴霧ノズルに対して、ガス供給部より供給される無菌ガスは、フィルタを通り、第１外側ガス供給管および第２外側ガス供給管を流れる。一方、別々のシリンジからそれぞれ供給される第１薬液および第２薬液は、各吐出口から吐出されると、第１外側ガス噴射口および第２外側ガス噴射口から噴射された無菌ガスによって霧化および混合される。混合された第１薬液および第２薬液は、生体接着剤として患部等に塗布される。
【先行技術文献】
【特許文献】
【０００４】
【特許文献１】特開２００３−１５９２５５号公報
【発明の概要】
【発明が解決しようとする課題】
【０００５】
上記した従来の噴霧ノズルでは、第１薬液供給管と第２薬液供給管とは、平行に配置されている。よって第１薬液および第２薬液は、平行な方向に向けて吐出されることになる。霧化された第１薬液および第２薬液は、ある程度の幅をもって拡がるが、混合されない領域が生じ得る。第１薬液および第２薬液が２液混合型の生体接着剤である場合、生体接着剤としての機能を発揮しないまま、患部等の上を垂れ落ちる等の事態を招いてしまう。
【０００６】
本発明は、第１液と第２液とを効率よく混合することができる塗布器具を提供することを目的とする。
【課題を解決するための手段】
【０００７】
本発明の一態様に係る塗布器具は、圧縮ガスを用いて第１液と第２液とを霧化および混合するための塗布器具であって、第１液が供給される第１液供給管と、第２液が供給される第２液供給管と、第１液供給管の先端に設けられ、第１液を第１吐出口から吐出させる第１ノズルと、第２液供給管の先端に設けられ、第２液を第２吐出口から吐出させる第２ノズルと、第１ノズルおよび第２ノズルの位置を規定し、第１ノズルおよび第２ノズルの外周から噴出する圧縮ガスの噴射口を規定すると共に、第１ノズルおよび第２ノズルの周囲に形成されて圧縮ガスを通すガス流路を含むノズルヘッドと、を備え、第１ノズルおよび第２ノズルは、第１吐出口および第２吐出口に向かうにつれて互いに近づくように配置されている。
【０００８】
この塗布器具によれば、第１液供給管の先端に設けられた第１ノズルの第１吐出口から、第１液が吐出され、第２液供給管の先端に設けられた第２ノズルの第２吐出口から、第２液が吐出される。第１ノズルおよび第２ノズルの周囲に形成されたガス流路を通って、ノズルヘッドから圧縮ガスが噴射される。このとき、第１吐出口から吐出される第１液および第２吐出口から吐出される第２液が、圧縮ガスによって霧化される。第１ノズルおよび第２ノズルは、第１吐出口および第２吐出口に向かうにつれて互いに近づくように配置されているため、第１液および第２液は、互いに近づく方向に吐出され、霧化される。よって、第１薬液および第２薬液は、速やかに且つ十分に混合され得る。この塗布器具によれば、第１液と第２液とを効率よく混合することができる。
【０００９】
いくつかの態様において、第１ノズルの第１ノズル軸線と第２ノズルの第２ノズル軸線とは、ノズルヘッドの前方で交差して鋭角をなす。この場合、第１薬液および第２薬液が確実に混合され、生体などに塗布される。
【発明の効果】
【００１０】
本発明のいくつかの態様によれば、第１液と第２液とを効率よく混合することができる。
【図面の簡単な説明】
【００１１】
【図１】本発明の第１実施形態に係る塗布器具が適用された装置の構成例を示す図である。
【図２】図１の塗布器具を示す斜視図である。
【図３】図３（ａ）は図２の塗布器具の縦断面図、図３（ｂ）は図３（ａ）に垂直な幅方向で切断した断面図である。
【図４】図２の塗布器具のノズルヘッド部分を先端側から見た図である。
【図５】図４のV-V線に沿う断面図である。
【図６】図６（ａ）はノズルヘッドを先端側から見た図、図６（ｂ）は図６（ａ）のVIb-VIb線に沿う断面図である。
【図７】ノズルヘッド部分をノズルの軸線に垂直な方向で切断した断面図である。
【図８】図２の塗布器具による塗布状態を示す図である。
【図９】従来の形態に係る塗布器具の断面図である。
【発明を実施するための形態】
【００１２】
以下、本発明の実施形態について、図面を参照しながら説明する。なお、図面の説明において同一要素には同一符号を付し、重複する説明は省略する。
【００１３】
図１および図２を参照して、本実施形態に係る塗布器具２および塗布器具２が適用された塗布装置１について説明する。図１に示されるように、たとえば、塗布装置１は胸腔手術に適用される装置であり、その場合、生体用接着剤を患者の患部に塗布するためのものである。塗布装置１は、生体用接着剤塗布機器としての塗布器具２を備える。塗布装置１は、塗布器具２に接続されたガス配管４と、ガス配管４を介して塗布器具２に圧縮ガスを供給する圧縮ガス源３とを備える。ガス配管４には、フィルタ６等が適宜設けられる。圧縮ガス源３は、圧縮されたガスを供給または生成可能なものであれば、どのようなものであってもよい。圧縮ガスは、たとえば圧縮空気である。
【００１４】
塗布器具２は、たとえば、ディスポーザブル（使い捨て）タイプの器具である。図１および図２に示されるように、塗布器具２には、第１液である主剤が充填された第１シリンジＡ１と、第２液である硬化剤が充填された第２シリンジＡ２とが取り付けられる。より詳細には、塗布器具２の本体１０の後端部には、それぞれ円筒状の第１シリンジ保持部１１および第２シリンジ保持部１２が設けられている。第１シリンジ保持部１１に第１シリンジＡ１の先端が挿入されて保持され、第２シリンジ保持部１２に第２シリンジＡ２の先端が挿入されて保持される。第１シリンジＡ１と第２シリンジＡ２とは、たとえば平行に設置される。第１シリンジＡ１および第２シリンジＡ２の大きさは、同じであってもよいし、異なっていてもよい。
【００１５】
主剤および硬化剤の種類や物質名は特に限定されるものではない。一例として、主剤はフィブリノーゲン含有溶液であってもよく、硬化剤はトロンビン含有溶液であってもよい。主剤および硬化剤は、混合されることによって接着剤としての機能を発揮する。
【００１６】
第１シリンジＡ１および第２シリンジＡ２には、それぞれピストンおよびロッド（押子）が挿入されており、これらが１つの操作部１４によって、操作可能になっている。操作部１４は、第１シリンジＡ１および第２シリンジＡ２に対して共用化されている。操作者（医師等）が操作部１４を軸線方向に押圧して押し込むことにより、第１シリンジＡ１内の主剤と、第２シリンジＡ２内の硬化剤とが同時に本体１０内に送られる。
【００１７】
塗布器具２の本体１０には、第１シリンジ保持部１１および第２シリンジ保持部１２の先端側の近傍においてガス導入部１６が設けられている。ガス導入部１６にはガス配管４が接続されている。本体１０は、ガス導入部１６に連続して設けられ、軸線方向に真っ直ぐに延びる細長い管状部１７を有する。管状部１７は、たとえば、外径が５ｍｍ程度であり、長さが３０ｃｍ程度の中空管である。第１シリンジＡ１および第２シリンジＡ２の軸線と、管状部１７の軸線とは、たとえば平行である。管状部１７の内部空間は、ガス導入部１６の内部空間に連通している。これにより、圧縮ガス源３から供給された圧縮ガスは、管状部１７内を通る。
【００１８】
一方で、図３（ａ）および図３（ｂ）に示されるように、管状部１７内には、第１シリンジ保持部１１に接続されて主剤を流通させる第１液供給管２１と、第２シリンジ保持部１２に接続されて硬化剤を流通させる第２液供給管２２とが配置されている。第１液供給管２１には、第１シリンジＡ１からの主剤が供給され、第２液供給管２２には、第２シリンジＡ２からの硬化剤が供給される。上記した圧縮ガスの流路は、管状部１７内であって、第１液供給管２１および第２液供給管２２の外部に形成される。
【００１９】
塗布器具２は、第１液供給管２１の先端に設けられた第１ノズル２３と、第２液供給管２２の先端に設けられた第２ノズル２４とを備える。塗布器具２は、管状部１７の先端に設けられたノズルヘッド２０を備える。ノズルヘッド２０は、第１ノズル２３および第２ノズル２４の位置を規定し、第１ノズル２３および第２ノズル２４の外周から噴出するガスの噴射口を規定する。ノズルヘッド２０は、たとえば、円錐台状をなす管状のキャップである。なお、ノズルヘッド２０は、円筒状をなしてもよい。第１ノズル２３の先端に形成された第１吐出口２３ａおよび第２ノズル２４の先端に形成された第２吐出口２４ａは、ノズルヘッド２０の先端面２６から露出している（図５参照）。第１ノズル２３は、第１吐出口２３ａから主剤を吐出させる。第２ノズル２４は、第２吐出口２４ａから硬化剤を吐出させる。
【００２０】
このように、管状部１７およびノズルヘッド２０からなる１本の管状体の内部に、先端に第１ノズル２３が接続された第１液供給管２１、および、先端に第２ノズル２４が接続された第２液供給管２２からなる２本の管状体が収納されている。これらの２本の管状体は、たとえば、略平行に配置されている。管状部１７とは別体のノズルヘッド２０が、管状部１７の先端に取り付けられてもよいし、ノズルヘッド２０が、管状部１７と一体に形成されてもよい。第１液供給管２１とは別体の第１ノズル２３が、第１液供給管２１の先端に取り付けられてもよいし、第１ノズル２３が、第１液供給管２１と一体に形成されてもよい。第２液供給管２２とは別体の第２ノズル２４が、第２液供給管２２の先端に取り付けられてもよいし、第２ノズル２４が、第２液供給管２２と一体に形成されてもよい。
【００２１】
２液混合型の塗布装置１および塗布器具２では、管状部１７は、トロッカーと呼ばれる管状部材の小孔から患者の体内に挿入される。まず、圧縮ガス源３より圧縮ガスをノズルヘッド２０に供給し、第１ノズル２３及び第２ノズル２４の外周から噴出させた状態で、操作部１４を操作し、第１ノズル２３及び第２ノズル２４よりそれぞれ塗布材を吐出する。操作部１４の操作に応じて、第１液供給管２１および第１ノズル２３に供給された主剤は第１吐出口２３ａから吐出され、第２液供給管２２および第２ノズル２４に供給された硬化剤は第２吐出口２４ａから吐出される。このとき、ノズルヘッド２０内の第１流路３１および第２流路３２（図５参照）を通った圧縮ガスが先端面２６から噴射され、主剤および硬化剤と圧縮ガスとが衝突することにより、せん断力が主剤および硬化剤に作用し、主剤および硬化剤が霧化させられる。塗布を終了する場合は、操作部１４の操作を止め、塗布剤の吐出を終了してから、圧縮ガス源３よりの圧縮ガスのノズルヘッド２０への供給を止める。
【００２２】
特に、本実施形態の塗布器具２は、主剤および硬化剤が効率よく混合される構造を備えている。塗布器具２では、２液を霧状に噴霧し確実に混合させながら、２液の混合によって得られる生体用接着剤を、均一かつ広範囲に塗布することができる。なお、主剤と硬化剤の供給比率は、たとえば１対１（等量）である。
【００２３】
以下、図４〜図７を参照して、ノズルヘッド２０内のノズル構造について説明する。図５および図６（ｂ）に示されるように、ノズルヘッド２０は、その中心を通る軸線Ｌを有する。ノズルヘッド２０の先端部分に、第１ノズル２３および第２ノズル２４の位置が規定され、第１ノズル２３および第２ノズル２４の外周から噴出するガスの噴射口を規定する。ノズルヘッド２０の先端部分には、たとえば円錐台状の周壁部２５と、周壁部２５の先端側の先端面２６とが形成されている。周壁部２５の内側には、第１貫通孔２７および第２貫通孔２８が形成されている。第１貫通孔２７および第２貫通孔２８は、いずれも円筒状をなしており、ノズルヘッド２０の内外を貫通している。第１貫通孔２７および第２貫通孔２８は、軸線Ｌに直交する幅方向に離間している。幅方向とは、複数のノズルである第１ノズル２３および第２ノズル２４が並ぶ方向である。第１貫通孔２７および第２貫通孔２８の間には、中央壁２９が存在する。
【００２４】
第１貫通孔２７内に、第１ノズル２３が配置される。第２貫通孔２８内に、第２ノズル２４が配置される。図６（ａ）、図６（ｂ）および図７に示されるように、第１ノズル２３および第２ノズル２４は、たとえば、第１貫通孔２７および第２貫通孔２８の内壁面に設けられた複数の支持突起３６によって支持されている。たとえば、図７に示されるように、第１貫通孔２７の内壁面には、周方向に等間隔に配置された３つの支持突起３６が設けられている。支持突起３６の先端（径方向内方の先端）は、第１ノズル２３の外周面に当接する。３つの支持突起３６は等しい形状および大きさを有しており、第１貫通孔２７に対して、第１ノズル２３は同軸状に設置されている。それぞれの形状および大きさを変えれば、意図的に同軸上からずれた位置に設置する事も出来る。
【００２５】
第２貫通孔２８内の第２ノズル２４についても、第１ノズル２３と同様の構造をもって設置されている。第２貫通孔２８に対して、第２ノズル２４は同軸状に設置されている。それぞれの形状および大きさを変えれば、意図的に同軸上からずれた位置に設置する事も出来る。ここでは、第２貫通孔２８および第２ノズル２４に関する図示および説明は省略する。これらの構造により、第１ノズル２３および第２ノズル２４は、第１貫通孔２７および第２貫通孔２８の内部において位置決めされ、保持されている。
【００２６】
図４および図７に示されるように、第１ノズル２３とノズルヘッド２０との間、すなわち第１ノズル２３と第１貫通孔２７との間には、圧縮ガスを通す円筒状の第１流路（ガス流路）３１が形成されている。第２ノズル２４とノズルヘッド２０との間、すなわち第２ノズル２４と第２貫通孔２８との間には、圧縮ガスを通す円筒状の第２流路（ガス流路）３２が形成されている。これらの第１流路３１および第２流路３２は、管状部１７と、第１液供給管２１および第２液供給管２２との間に形成された上記の流路に連続している。第１流路３１および第２流路３２の先端には、環状の噴射口がそれぞれ形成されている。
【００２７】
図５に示されるように、第１ノズル２３の第１吐出口２３ａと、第２ノズル２４の第２吐出口２４ａとは、それぞれ、ノズルヘッド２０の先端面２６から露出している。第１吐出口２３ａは、先端面２６よりも前方に突出してもよい。第２吐出口２４ａは、先端面２６よりも前方に突出してもよい。なお、第１吐出口２３ａおよび第２吐出口２４ａの両方またはいずれか一方が、軸線Ｌ方向において先端面２６と同じ位置にあってもよく、先端面２６より僅かに引っ込んだ位置にあってもよい。いずれにしても、第１吐出口２３ａと第２吐出口２４ａとは、先端面２６から露出しており、外部（前方）に臨んでいる。なお、「前方」は、吐出方向を基準としている。
【００２８】
また、図５の形態では、先端面２６は第１吐出口２３ａおよび第２吐出口２４ａに対して略平行となるように断面がＶ字状になるように配置されているが、円筒状の一部と同じ形状を有してもよく、球面又は円錐面の一部と同じ形状を有してもよい。
【００２９】
ここで、本実施形態の塗布器具２では、第１ノズル２３および第２ノズル２４は、平行に設けられているのではなく、角度付けされている。図６（ａ）および図６（ｂ）に示されるように、ノズルヘッド２０において、第１貫通孔２７の中心を通る第１流路軸線Ｃ１と、第２貫通孔２８の中心を通る第２流路軸線Ｃ２とは、いずれも軸線Ｌに対して角度をなしている（傾斜している）。上記したように、第１貫通孔２７および第２貫通孔２８は幅方向に離間しているが、第１流路軸線Ｃ１および第２流路軸線Ｃ２は、平行ではなく、先端面２６側に向かうにつれて互いに近づいている。第１流路軸線Ｃ１および第２流路軸線Ｃ２は、軸線Ｌ方向および幅方向に延びる同一の平面上に位置する。
【００３０】
より詳細には、軸線Ｌに対して第１流路軸線Ｃ１がなす角度θ１は、鋭角である。軸線Ｌに対して第２流路軸線Ｃ２がなす角度θ２は、鋭角である。たとえば、角度θ１は、角度θ２に等しい。第１流路軸線Ｃ１および第２流路軸線Ｃ２は、ノズルヘッド２０の前方で交差している。第１流路軸線Ｃ１と第２流路軸線Ｃ２とがなす角度は、角度θ１と角度θ２との和である。言い換えれば、第１流路軸線Ｃ１と第２流路軸線Ｃ２とがなす角度は、それらが等しい場合は角度θ１（角度θ２）の２倍であり、これも鋭角である。
【００３１】
図５に示されるように、本実施形態のノズル構造において、第１ノズル２３の中心を通る第１ノズル軸線Ｂ１と、第２ノズル２４の中心を通る第２ノズル軸線Ｂ２とは、いずれも軸線Ｌに対して角度をなしている（傾斜している）。第１ノズル２３および第２ノズル２４は幅方向に離間しているが、第１ノズル軸線Ｂ１および第２ノズル軸線Ｂ２は、平行ではなく、先端側、すなわち第１吐出口２３ａおよび第２吐出口２４ａに向かうにつれて、互いに近づいている。第１ノズル軸線Ｂ１および第２ノズル軸線Ｂ２は、軸線Ｌ方向および幅方向に延びる同一の平面上に位置する。
【００３２】
第１ノズル２３は第１貫通孔２７に同軸状に設けられ、第２ノズル２４は、第２貫通孔２８に同軸状に設けられる。したがって、軸線Ｌに対して第１ノズル軸線Ｂ１がなす角度θ１は、上記した第１流路軸線Ｃ１の角度θ１であり、鋭角である。軸線Ｌに対して第２ノズル軸線Ｂ２がなす角度θ２は、上記した第２流路軸線Ｃ２の角度θ２であり、鋭角である。
【００３３】
第１ノズル軸線Ｂ１および第２ノズル軸線Ｂ２は、ノズルヘッド２０の前方で交差している。第１ノズル軸線Ｂ１と第２ノズル軸線Ｂ２とがなす角度は、角度θ１と角度θ２との和である。言い換えれば、第１ノズル軸線Ｂ１と第２ノズル軸線Ｂ２とがなす角度は、角度θ１（角度θ２）の２倍であり、これも鋭角である。
【００３４】
このように、塗布器具２において、第１ノズル２３および第２ノズル２４は非平行に配置され、軸線Ｌ方向および幅方向の両方に垂直な方向から見て、Ｖ字状をなしている。これに伴い、第１流路３１および第２流路３２も非平行に配置され、軸線Ｌ方向および幅方向の両方に垂直な方向から見て、Ｖ字状をなしている。第１流路３１および第１ノズル２３と、第２流路３２および第２ノズル２４とは、軸線Ｌを通り且つ幅方向に垂直な仮想平面に関して対称である。ノズルヘッド２０の第１流路３１および第１ノズル２３と、第２流路３２および第２ノズル２４の間には、中央壁２９が存在する。
【００３５】
第１ノズル２３の角度θ１および第２吐出口２４ａの角度θ２は、ノズルヘッド２０の先端面２６から、塗布対象が患部などの場合、その生体Ｘまでの距離に応じて、適宜設定され得る。なお、先端面２６から生体Ｘまでの距離は、たとえば、３〜５ｃｍ程度である。
【００３６】
本実施形態の塗布器具２によれば、第１液供給管２１の先端に設けられた第１ノズル２３の第１吐出口２３ａから、主剤が吐出され、第２液供給管２２の先端に設けられた第２ノズル２４の第２吐出口２４ａから、硬化剤が吐出される。第１ノズル２３の周囲に形成された第１流路３１、および、第２ノズル２４の周囲に形成された第２流路３２を通って、ノズルヘッド２０の先端面２６から圧縮ガスが噴射される。このとき、第１吐出口２３ａから吐出される主剤および第２吐出口２４ａから吐出される硬化剤が、圧縮ガスによって霧化される。第１ノズル２３および第２ノズル２４は、第１吐出口２３ａおよび第２吐出口２４ａに向かうにつれて互いに近づくように配置されているため、主剤および硬化剤は、互いに近づく方向に吐出され、霧化される。たとえば、図８に示されるように、ノズルヘッド２０が生体Ｘに向けられる。吐出および霧化された主剤および硬化剤は、第１ノズル軸線Ｂ１および第２ノズル軸線Ｂ２を中心とする円錐状の各霧化領域の略全体にわたって混合領域Ｒを形成し、速やかに且つ十分に混合される。塗布器具２によれば、主剤と硬化剤とを効率よく混合することができる。
【００３７】
図９には、従来の塗布器具における、ノズルヘッド１２０と、第１ノズル１２３および第２ノズル１２４の配置・構造が示されている。従来は、第１ノズル１２３および第２ノズル１２４は平行に配置されていた。よって、主剤および硬化剤は、平行な方向に向けて吐出されていた。空気流路１３０によって霧化された主剤および硬化剤は、ある程度の幅をもって円錐状に拡がるが、これらの軸線は平行であるため、混合されない領域が生じていた。よって、主剤および硬化剤は、生体接着剤としての機能を発揮できないまま、生体Ｘの上を垂れ落ちる等の事態が生じていた。これに対して、ノズル角度が調整された本実施形態の塗布器具２では、混合されない領域はほとんど生じず、主剤と硬化剤とが確実に混ざるようになっている。
【００３８】
しかも塗布器具２では、第１ノズル２３の第１ノズル軸線Ｂ１と第２ノズル２４の第２ノズル軸線Ｂ２とがノズルヘッド２０の前方で交差して鋭角をなしているので、主剤および硬化剤が確実に混合され、生体Ｘに塗布される。
【００３９】
以上、本発明の実施形態について説明したが、本発明は上記実施形態に限られない。たとえば、軸線Ｌに対して傾斜する第１の角度θ１および第２の角度θ２が異なっていてもよい。第１ノズル軸線Ｂ１と第２ノズル軸線Ｂ２とが、必ずしも交差しなくてもよい。すなわち、第１ノズル軸線Ｂ１と第２ノズル軸線Ｂ２とが同一平面上に位置しなくてもよい。第１流路３１および第１ノズル２３と、第２流路３２および第２ノズル２４とが、軸線Ｌを通り且つ幅方向に垂直な仮想平面に関して非対称であってもよい。
【００４０】
第１ノズル２３および第２ノズル２４の支持構造は、上記した形態に限られない。第１ノズル２３と第２ノズル２４とが基端側でノズルヘッド２０に対して位置決めされてもよい。第１ノズル２３と第１貫通孔２７の間、第２ノズル２４と第２貫通孔２８の間に、スペーサ等が設けられてもよい。圧縮ガスの流路は第１ノズル２３と第２ノズル２４とに別個に設けられる場合に限られず、単一の（共通の）流路が設けられてもよい。第１ノズル２３および第２ノズル２４は、第１貫通孔２７および第２貫通孔２８に対して、それぞれ同軸状に設けられなくてもよい。第１ノズル２３および第２ノズル２４は、第１貫通孔２７および第２貫通孔２８に対して、偏心して設けられてもよい。
【００４１】
圧縮ガスに用いられるガスは、空気に限られず、たとえば窒素ガスや炭酸ガス等であってもよい。胸腔手術に限られず、他の箇所や他の種類の手術、たとえば開腹手術等に、本発明を適用することもできる。
【符号の説明】
【００４２】
１…塗布装置、２…塗布器具、２０…ノズルヘッド、２１…第１液供給管、２２…第２液供給管、２３…第１ノズル、２３ａ…第１吐出口、２４…第２ノズル、２４ａ…第２吐出口、３１…第１流路（ガス流路）、３２…第２流路（ガス流路）、３６…支持突起、Ｂ１…第１ノズル軸線、Ｂ２…第２ノズル軸線、Ｌ…軸線、Ｒ…混合領域、Ｘ…生体。
【図１】
2018000559.tif 000003
【図２】
2018000559.tif 000004
【図３】
2018000559.tif 000005
【図４】
2018000559.tif 000006
【図５】
2018000559.tif 000007
【図６】
2018000559.tif 000008
【図７】
2018000559.tif 000009
【図８】
2018000559.tif 000010
【図９】
2018000559.tif 000011